(57)【特許請求の範囲】
【請求項１】
標準型洋式便器に設置可能に構成され、排泄された尿を採取し、該尿の分析を行う尿分析機能付きトイレット装置であって、
前記排泄された尿を採取する尿サンプリング手段と、該採取された尿を分析して、前記所定の成分の量に関するデータを取得可能な分析手段と、前記採取後に前記尿サンプリング手段を洗浄する洗浄手段とが組み付けられた便座と、
該分析手段の動作を制御する制御手段と、
前記分析手段と別体として備えられ、複数回に亘って取得された前記データを記憶する記憶手段と、
前記分析手段と別体として備えられ、該記憶手段に記憶されたデータを用いた所定の演算を行う演算手段と、
前記分析手段と演算手段との間でデータの授受を行うデータ授受手段とを備えるトイレット装置。
【請求項２】
該記憶手段は、不揮発性の記憶媒体である請求項１記載のトイレット装置。
【請求項３】
前記所定の成分は、尿糖、尿蛋白、潜血のうち少なくとも一つの成分である請求項１記載のトイレット装置。
【請求項４】
ビデ装置、温風乾燥装置、脱臭装置のうち少なくとも一つを備えた請求項１記載のトイレット装置。
【発明の詳細な説明】
【０００１】
【発明の属する技術分野】
本発明は、家庭やオフィスその他のトイレットにおいて個人が排泄した尿をその場でサンプリングして尿分析を行うことの可能な尿分析機能を備えたトイレット装置に関する。
【０００２】
【従来の技術】
人々の長寿高齢化に伴い、健康管理に関する各人の関心が高まっている。尿は個人の健康状態に関する重要な情報源であり、尿糖、尿蛋白、ウロビリノーゲン、潜血、その他の尿成分を定量分析することにより、糖尿病のようなすい臓障害や肝臓障害や腎臓障害その他の機能障害を非侵襲方式で検査することができる。そこで、家庭や職場その他のトイレットを利用して尿のサンプリングと分析を行い、個人の健康チェックを支援することの可能な、尿分析機能を備えたトイレットが提案されている。
【０００３】
例えば、特開昭５９−２１７８４４号、特開昭６３−１８４０５７号、特開昭６３−２９０９６１号、特開平１−１７８８６６号、特開平４−１９１６６０号には、洋式便器のボウル面に採尿部を形成し、ボウル面に排泄された尿を採尿部に集めてサンプリングすることが提案されている。採取された尿サンプルは、液体クロマトグラフ法、試験紙法、或いはポーラログラフ法（ボルタンメトリー法）により分析されるようになっている。
【０００４】
実開平５−３０７６４号には、便座を改造することにより尿をサンプリングすることが提案されている。このため、コップ状の採尿器を支持するアームが旋回可能に既存の便座に取付けられる。採尿機構でサンプリングされた尿は手動シリンジ又は自動採取シリンジにより測定部に送られ、尿分析に付される。反応液容器やポンプや吸光光度計からなる測定部は便座の側方に配置してある。
【０００５】
【発明が解決しようとする課題】
これらの尿分析機能付きトイレットは、日常的に行われる用便行為により、簡易に尿の分析を行うことができ、健康チェックに役立てることができる利点がある。日常的な健康チェックは、いわゆる生活習慣病など、自覚症状のないまま緩やかに病状が変化する病気に対して、特に有効である。この意味で、尿分析機能付きトイレットでは、過去における分析結果を長期に亘って記憶し、かつそのトレンド等を演算処理可能であることが好ましい。
【０００６】
しかしながら、従来の尿分析機能付きトイレットでは、上述の点について十分考慮されていなかった。過去における分析結果を健康チェックに活用できる程、十分な期間に亘って記憶するためには、容量の大きいメモリが必要となる。また、過去における分析結果に基づいて健康状態のトレンド等を演算処理するためには、処理能力の高い演算回路を用いることが好ましい。かかるメモリや演算回路を備えるためには、比較的大きな容積が要求される。さらに、上述のメモリや演算回路の稼動に適した環境条件を確保する必要もある。トイレットが設置される場所は一般に湿度が高く、水滴等が飛散する可能性が高いため、これらのメモリや演算回路を適切に稼動するために、十分な絶縁、防水対策を施す必要があるのである。
【０００７】
例えば、特開昭５９−２１７８４４号、特開昭６３−１８４０５７号、特開昭６３−２９０９６１号、特開平１−１７８８６６号、特開平４−１９１６６０号に記載の装置では、ボウル面に採尿部が形成され、いわゆる特殊便器として構成されている。かかる特殊便器において、上述の容積や環境条件を考慮して、メモリや演算回路を装備すれば、装置全体の大型化を招き、トイレット自体の設置について制約が厳しくなるとともに、装置のコスト増を招く。また、斯る特殊便器は、標準型の便器とは別個に特別に製造しなければならず、従って大量生産によるコストダウンが難かしいので、一般家庭や職場やオフィスに普及させるには余りに高価である。また、通常のボウル形状の標準型の便器を備えた既設のトイレットを改造する場合には、先ず既存の便器を撤去し、次に尿分析専用の特殊便器を設置しなければならないので、工事に多大な費用と手数を要すると共に、既存設備の廃棄を招く。
【０００８】
一方、実開平５−３０７６４号に記載の便座を改造することにより尿分析機能付きトイレットを実現する構成においては、装置の寸法に対する制約が非常に大きい。一般にトイレット近傍は、タンク、配管等が配置され、スペースの余裕が少ないため、装置の寸法が大きくなると、標準便器に設置することができなくなるのである。従って、便座を改造する構成においては、前述の容積や環境条件を考慮して、メモリや演算回路を、製造コストの極端な増大を招くことなく装備することが困難であった。
【０００９】
本発明は、既存のトイレット設備を活かしつつ、尿分析機能を実現可能なトイレット装置を提供することを目的とする。また、かかるトイレット装置において、健康チェックに有効に活用可能な程度に分析データの記憶および演算処理を可能とし、該装置の有用性を向上する技術を提供することを目的とする。
【００１０】
【課題を解決するための手段およびその作用・効果】
上記課題の少なくとも一部を解決するために、本発明は以下の構成を採用した。
本発明のトイレット装置は、
標準型洋式便器に設置可能に構成され、排泄された尿を採取し、該尿の分析を行う尿分析機能付きトイレット装置であって、
前記便器に取り付けられることによって、前記排泄された尿を採取するとともに、該採取された尿を分析して、前記所定の成分の量に関するデータを取得可能な分析手段と、
該分析手段の動作を制御する制御手段と、
前記分析手段と別体として備えられ、複数回に亘って取得された前記データを記憶する記憶手段と、
前記分析手段と別体として備えられ、該記憶手段に記憶されたデータを用いた所定の演算を行う演算手段と、
前記分析手段と演算手段との間でデータの授受を行うデータ授受手段とを備えることを要旨とする。
【００１１】
本発明のトイレット装置は、便器本体とは別体のユニットとして構成されているため、既存の便器設備を活かして尿分析機能を実現することができる。本明細書では、トイレット装置とは、このように既存の標準便器に取り付けられることにより所定の機能を果たす装置を指すものとする。
【００１２】
本発明のトイレット装置によれば、使用者は、複数回に亘って記憶されたデータに基づいて、分析結果のトレンドを知ることができる。かかるトレンドは、自己の健康チェックに役立てることができる。なお、データの記憶は、種々の態様で行うことが可能である。例えば、分析されたデータ自体を記憶する態様を採ることができる。また、前回の分析結果からの偏差を記憶する態様を採るものとしてもよい。その他、健康チェックに有意義なトレンドを得ることが可能な種々の態様でデータを記憶することが可能である。かかるトレンドを得るためには、容量の大きい記憶手段と、演算能力の高い演算手段とを備えることが望ましい。本発明のトイレット装置では、以下の構成により、適切な記憶手段および演算手段を備えることを可能としている。
【００１３】
即ち、本発明のトイレット装置では、記憶手段および演算手段を分析手段とは別体として備える。従って、分析手段を既存の標準便器への設置するための制約に関わらず記憶手段および演算手段を構成することができる。例えば、既存の便器に設置するため、分析手段の寸法に制約がある場合でも、記憶手段および演算手段についてはかかる制約に関わらず十分な容積を確保することができる。また、分析手段の設置場所が高湿等の環境にある場合でも、記憶手段および演算手段については各手段を稼動するのに適した環境に設置することができる。分析手段は標準便器への設置を前提として構成されるが、記憶手段および演算手段を便器から離隔して設置することが可能となる。
【００１４】
このように記憶手段および演算手段を分析手段と別体として備えることにより、本発明のトイレット装置では、記憶手段および演算手段に対する構成上の制約を緩和することができる。つまり、装置の製造コストの極端な増加等を招くことなく、機能の実現に適した記憶手段および演算手段を備えることが可能となる。
【００１５】
なお、本発明のトイレット装置において、分析手段、制御手段、記憶手段、演算手段は種々の構成態様で実現することができる。一般に制御手段および演算手段はマイクロコンピュータを利用して構成されることが多い。従って、分析手段を第１のユニットとして構成し、制御手段および演算手段を包含して第２のユニットを構成することができる。記憶手段は、これらと別の構成としてもよいし、第２のユニットに組み込むことも可能である。かかる構成態様で実現すれば、トイレット装置のユニット数を最小限に抑えることができ、コスト低減を図ることができる。
【００１６】
また、分析手段を第１のユニット、制御手段を第２のユニット、演算手段を第３のユニットとして構成するものとしてもよい。記憶手段は、これらと別の構成としてもよいし、第３のユニットに組み込むことも可能である。こうすれば、第３の演算手段の構成についての自由度がより高まる。例えば、非常に高い演算能力を有する汎用のコンピュータ等を演算手段として活用することも可能となる。つまり、トイレットが設置してある場所と異なる部屋に設置されたコンピュータ等を演算手段として活用することも可能となる。こうすれば、分析データの管理や健康チェックをより適切かつ多彩に行うことが可能となり、本発明のトイレット装置の利便性を大きく向上することが可能となる。もちろん、このように汎用のコンピュータを演算手段として活用する場合には、トイレット装置の使用者に対して、該使用者が所有する汎用のコンピュータを演算手段として活用するために必要なソフトウェアを供給する態様を採るものとしてもよい。
【００１７】
また、前記記憶手段も種々の構成を適用することができる。当然、マイクロコンピュータに通常備えられるＲＡＭ等のメモリを用いるものとしてもよいが、該記憶手段は、不揮発性の記憶媒体であるものとすることが望ましい。不揮発性の記憶媒体とは、いわゆるフラッシュメモリなど、通電していなくてもデータの記憶が可能なメモリ一般を意味する。かかるメモリを適用することにより、電源が遮断された場合でも分析データを保持しておくことができる。不揮発性の記憶媒体として、フレキシブルディスクなどの携帯可能な記憶媒体を適用するものとしてもよい。
【００１８】
本発明のトイレット装置において、
前記データ授受手段は、通信によりデータを授受する手段であるものとすることが好ましい。こうすれば、分析手段により得られたデータを高速かつ確実に記憶手段および演算手段に受け渡すことができる。この場合において、通信は有線で行うものとしてもよいし、電波や赤外線などを利用した無線の通信で行うものとしてもよい。
【００１９】
データ授受手段は、必ずしも通信に限定される訳ではない。記憶手段として、フレキシブルディスクなどの携帯可能な記憶媒体を利用する場合には、該記憶媒体へのデータの書き込み、および読み出しを行う手段をデータ授受手段とすることも可能である。なお、データ授受手段は、特定の分析手段と演算手段との間でのみデータの授受を行うものに限定されない。
【００２０】
本発明は、尿中の種々の成分を対象とすることができるが、前記所定の成分は、尿糖、尿蛋白、潜血のうち少なくとも一つの成分であるものとすることが好ましい。これらは糖尿病などに代表される生活習慣病と密接に関連した成分である。これらの成分を分析の対象とすることにより、自覚症状のないまま緩やかに進行していく生活習慣病に関する健康チェックに、尿分析機能付きトイレット装置を有意義に活用することが可能となる。
【００２１】
また、本発明のトイレット装置においては、ビデ装置、温風乾燥装置、脱臭装置のうち少なくとも一つを備えるものとすることも好ましい。これらの機能は、トイレットを快適に使用することができる機能として、昨今、重宝されている機能である。従って、これらの機能を備えることにより、本発明のトイレット装置を快適に使用することが可能となり、利便性が向上する。
【００２２】
【発明の実施の形態】
図１は既設のトイレットに本発明の尿分析ユニットを取付けたところを示し、図２は尿分析ユニットのハウジングを分解したところを示し、図３は尿分析ユニットの便座と尿サンプリング装置との組立体を分解したところを示す。
【００２３】
これらの図面を参照するに、トイレット１０は水洗便器１２を有し、この便器１２は床に設置されている。この便器１２には、既存の便座（図示せず）を取り外した後に、本発明の尿分析ユニット１４が後述するように取付けられる。本発明の尿分析ユニット１４は、ヴォルテックス型、サイフォン型、サイフォンジェット型、ウォシュダウン型、その他の形式の市販の標準型の便器に取付けることができる。標準型の便器１２は、通常のボウル（便鉢）部１６と洗浄水供給部１８を有する。図示した実施例では、洗浄水供給部はシスターン取付け部１８からなり、この取付け部１８には従来型のシスターン２０が周知の態様で取付けてある。シスターンに代えて洗浄弁を備えた洗浄管から洗浄水を供給する形式の標準型の便器にも本発明は適用することができる。
【００２４】
尿分析ユニット１４は、後述するように便器１２に固定されるハウジング２２と、専用の特製の便座２４に尿サンプリング装置２６を組み込むことにより予め製作された組立体２８（以下、便座アッセンブリと言う）とを有する。便座アッセンブリ２８は後述するようにハウジング２２に回動可能に装着される。ハウジング２２には、また、従来型の便蓋３０を開閉可能に装着することができる。尿分析ユニット１４を制御し分析結果を出力するための制御ユニット３２はトイレット側方の壁に設置することができる。
【００２５】
尿分析ユニット１４のハウジング２２は、例えば図２に示したように、フレーム３４と、上部ケーシング３６と、左右の下部ケーシング３８および４０とで構成することができる。ハウジング２２のこれらの部品は樹脂の射出成形により製造することができ、ビスなどにより互いに一体に締結することによりハウジング２２を形成する。図２に示したように、標準型の便器１２にはボウル部１６と洗浄水供給部１８との間において１対の便座取付け穴４２が設けてあり、これらの便座取付け穴４２を利用して既存の便座（図示せず）が周知の態様で取付けてある。ハウジング２２のフレーム３４は、既存の便座を取り外した後、実公昭６３−６２９１号に開示されたようにフレーム３４の下面に２本のＴボルト４４をＴ溝嵌合により取付け、便座取付け穴４２にこれらのＴボルト４４を挿通し、対応するナット４６を締結することにより、ボウル部１６とシスターン取付け部１８との間において便器１２の上面４８に固定することができる。
【００２６】
図２からよく分かるように、フレーム３４は便器１２に対して横断方向に延長する中央部分とこの中央部分の両端から夫々前方へ延長する側方部分を有し、上部ケーシング３６もフレーム３４に対応する形状になっている。従って、フレーム３４と上部ケーシング３６と左右の下部ケーシング３８および４０は互いに協働してハウジングの中央部分２２Ｃと左側方部分２２Ｌと右側方部分２２Ｒ（図１）を形成する。図２に示したように、ハウジングの左側方部分２２Ｌには、便座アッセンブリ２８によってサンプリングされた尿サンプルを分析する分析装置５０と、尿サンプルを便座アッセンブリ２８から分析装置５０に搬送する電動シリンジポンプ５２と、緩衝液タンク５４と、較正液タンク５６を収容することができる。ハウジング左側方部分２２Ｌには、また、指血圧計ユニット５８を配置し、被験者の左第２指に係合させることにより血圧を測定するようにしてもよい。図示した実施例では、ハウジング中央部分２２Ｃには、洗浄ノズル６０を備えた従来型のビデ装置６２と、従来型の温風乾燥装置６４と、オゾナイザーからなる従来型の脱臭装置６６が配置してあり、尿分析ユニット１４を備えたトイレット１０を通常の目的で使用する際に夫々の機能を提供するようになっている。しかし、これらの追加的機能は不可欠ではなく、省略することができる。ハウジングの右側方部分２２Ｒには、ユニット１４の電源装置６８とビデ装置の操作盤７０を収納することができる。
【００２７】
主として図３から図８を参照しながら、便座２４とそれに組み込まれた尿サンプリング装置２６とからなる便座アッセンブリ２８を説明する。便座２４は尿サンプリング装置２６を組み込むことを目的として設計されかつ製作されたものであり、尿サンプリング装置２６を組み込むのに適した構造になっている。図３に切欠いて示したように、便座２４は耐衝撃性樹脂などからなる上部半体２４Ａと下部半体２４Ｂとを例えば超音波溶接によって接合することにより形成することができ、便座を温めるための電気ヒーター線７２を必要に応じて配線することができる。便座２４は任意のヒンジを用いてハウジング２２に回動可能に装着することができ、好ましくは実願平５−１９３４１号に開示されたリテーナブロックを用いてそのヒンジ部７４をハウジング２２の軸受け部７６（図２）に係合させることにより装着する。
【００２８】
便器１２を焼成する際に生じる焼成歪みに適合させるため、従来の便座と同様に、便座２４は便器１２のリム７８の上面に対して４点で支持するのが好ましい。このため、図３に破線で示したように、便座２４の下面にはクッション付きの２つの脚部８０を従来同様に設けることができる。他の２点においては、便座２４は、後述する採尿部ケース８２に設けた２つの脚部８４によって支持される。図８からよく分かるように、脚部８０又は８４があるので、便器のリム７８の上面８６と便座２４の下面８８との間には約１．５〜２ｃｍの高さの環状隙間が確保される。この環状隙間の一部を利用することにより、尿サンプリング装置２６の一部が配置され、かつ、収納される。図３および図８からよく分かるように、便座２４の下面には下方に開口する凹み９０および９２が形成してあり、尿サンプリング装置２６の一部が、更に、後述の如くこれらの凹みに収納されるようになっている。
【００２９】
尿サンプリング装置２６は、便器１２のボウル１６に排泄された尿のサンプルを採尿容器によりボウル空間内の空中で採取し、サンプリング後には採尿容器を便座２４下方の収納位置に収納すると共に、採尿容器を自動的に洗浄するように構成することができる。図３から図８を参照しながら、尿サンプリング装置２６の実施態様の一例を説明する。図示した実施例においては、尿サンプリング装置２６は、略クランク形状のスイングアーム９４と、このスイングアームの自由端に着脱可能に装着された細長い採尿容器９６と、スイングアーム９４を駆動する駆動部９８と、採尿部ケース８２とを備えている。スイングアーム９４は、図５および図７に示したように、中央エルボ１００と、端部エルボ１０２と、両者を連結するパイプ１０４と、スピンドル１０６とで構成することができる。
【００３０】
図６および図７に示したように、採尿容器９６は、細長い上部開口１０８および樋状の凹み１１０を有する本体１１２と大径の基部１１４とで構成することができ、Ｏリング１１６を用いて端部エルボ１０２に液密かつ着脱自在に装着することができる。本体の凹み１１０は基部１１４に向かって傾斜しており、凹み１１０内に降り注がれた尿が基部１１４とエルボ１０２によって形成された尿溜まり１１８に集積するようになっている。本体１１２の外周を金網１２０などで覆うことにより、被験者から排泄された尿が採尿容器９６に衝突して周囲に飛散するのを防止すると共に、尿サンプルを効果的に採取できるようにするのが好ましい。尿溜まり１１８に集積した尿は、エルボ１０２の内部通路とスイングアーム９４およびそのスピンドル１０６内を延長する可撓性チューブ１２２を介して、シリンジポンプ５２の吸引と圧送作用によりハウジング２２内の尿分析装置５０に送られる。気泡を含まない尿のみを吸引して尿分析装置へ送るため、エルボ１０２には、尿溜まり１１８の底部に開口するＬ字管１２４を設けるのが好ましい。また、尿溜まり１１８に十分な量の尿が溜まったことを検出するため、上下方向に離間された一対の電極１２６と１２８をエルボ１０２に設けることができる。これらの電極はリード線１３０を介して側方ハウジング２２Ｌ内に配置した尿分析装置５０の制御回路に接続することができる。
【００３１】
概略的に述べれば、図示した実施例では、スイングアーム９４を駆動する駆動部９８は、図８からよく分かるように、スイングアーム９４に回動運動と並進運動とを与えることにより、採尿容器９６を便座前部下方の収納位置からボウル空間内の異なる種々の採尿位置へと（およびその逆に）移動させるようになっている。しかし、スイングアーム９４の回転のみにより採尿容器９６を移動させるように構成してもよい。
【００３２】
より詳しくは、図３から図５を参照するに、駆動部９８は便座２４の下面にビスなどにより適宜固定された採尿部ケース８２に収蔵してある。駆動部９８はケース８２に摺動自在に装着されたスライダー１３２を備え、このスライダー１３２は採尿部ケース８２に固定された１対のガイド１３４によって便器１２の長軸にほぼ平行に摺動するべく案内されている。スライダー１３２にはラック１３６が固定してあり、このラック１３６にはケース８２に固定された減速ギヤ付きステッピングモータ１３８の出力軸のピニオン１４０が噛み合っている。従って、モータ１３８をいづれかの方向に回転させれば、スライダー１３２は前後に並進運動を行う。モータ１３８は側方ハウジング２２Ｌ内の制御回路（後述）によって制御される。
【００３３】
スイングアーム９４は回転可能に、かつ、スライダー１３２と共に移動するようにスライダー１３２に軸支されている。このため、図５からよく分かるように、スライダー１３２には１対のトラニオン軸受１４２が設けてあり、スイングアーム９４のスピンドル１０６を軸支している。スピンドル１０６には軸孔が形成してあり、可撓性チューブ１２２やリード線１３０が通してある。
【００３４】
駆動部９８は、更に、スイングアーム９４の回転角位置を規制するレバー／カム機構１４４を備えており、モータ１３８によってスライダー１３２を前後に変位させる際に採尿容器９６の位置を制御するようになっている。即ち、図５からよく分かるように、２つの軸受１４２の間においてスイングアーム９４のスピンドル１０６にはレバー１４６が一体回転するべく嵌合してあり、このレバー１４６の先端にはローラーの形のカムフォロワ１４８が支持してある。カムフォロワ１４８は採尿部ケース８２にビスなどにより適宜固定されたカムプレート１５０と協働するもので、このカムプレート１５０には、２つの段違いの水平カム面１５２および１５４と、傾斜カム面１５６が形成してある。スイングアーム９４のスピンドル１０６にはリターン・コイルスプリング１５８の一端が固定してあり、このスプリングの他端は軸受１４２に固定してある。リターン・スプリング１５８の予荷重は、図８においてスイングアーム９４を時計方向に回転付勢するべく設定されている。
【００３５】
以上に述べた尿サンプリング装置２６のスイングアーム９４とその駆動部９８が装着された採尿部ケース８２はビスなどにより便座２４に強固に固定され、尿サンプリング装置組み込み型の便座アッセンブリ２８が形成される。図３および図８に示したように、便座２４の下面には駆動部９８に対応する形状の凹み９０が予め形成してあるので、駆動部９８の構成要素、例えば、モーター１３８、ピニオン１４０、カムプレート１５０、レバー１４６、カムフォロワ１４８は部分的にこの凹み９０に収蔵される。このように尿サンプリング装置２６を組み込むべく特別に設計された便座２４を使用し、便座２４内のスペースを有効に利用して尿サンプリング装置の構成要素を収容するので、尿サンプリング装置の構成要素を堅牢な構造に設計することができる。この特製の便座２４は成形金型を用いて大量生産することができ、尿サンプリング装置２６を組み込むことにより予め便座アッセンブリ２８が組み立てられる。標準型便器を備えた既設のトイレットを尿分析機能を有するトイレットに改造するにあたっては、便座アッセンブリ２８は、ハウジング２２を便器１２に固定する前または後のいづれか好都合な時点で、ハウジング２２に装着される。
【００３６】
次に、主として図８を参照しながらこの尿サンプリング装置２６の作動を説明するに、非使用時にはスライダー１３２は前進位置にあり、カムフォロワ１４８はカムプレート１５０の第１水平カム面１５２に係合している。従って、スイングアーム９４はリターン・スプリング１５８の作用により跳ね上げられており、採尿容器９６は便座２４の下方において採尿部ケース８２内の収納位置（位置Ａ）に格納されている。この状態で便座アッセンブリ２８を開閉させ、トイレットを通常の用便の目的に使用することができる。
【００３７】
尿のサンプリングと分析にあたり、被験者が便座２４に着座し、制御ユニット３２に設けられたスイッチを押すと、モータ１３８が回転してラック・ピニオン機構１４０／１３６によりスライダー１３２を後退させ始め、先ず、採尿容器９６をその収納位置から水平に後方に引き出す。カムフォロワ１４８がカムプレート１５０の傾斜カム面１５６に係合すると、レバー１４６はスイングアーム９４の回動を開始する（位置Ｂ）。カムフォロワ１４８が傾斜カム面１５６に更に乗り上げるにつれて、スイングアームは後退しながら回動し、採尿容器９６を図８に示した湾曲した軌跡に沿って変位させる。モータ１３８が更に回転すると、カムフォロワ１４８はカムプレート１５０の第２水平カム面１５４に係合するに至り（位置Ｃ）、それ以後はスイングアーム９４の姿勢を維持したまゝで後端位置Ｄまで並進移動させる。一般に放尿方向には男女差があり、男性の場合には尿柱は比較的前方に落下し、女性の場合には後方に落下すると共に、個人差がある。従って、モータ１３８の制御スイッチと制御回路は、男性の場合には位置Ｂ〜Ｃ間で採尿容器９６を自動的に停止させ、女性の場合には位置Ｃ〜Ｄ間で停止させるようにすると共に、被験者が位置を微調整できるように構成するのが好ましい。被験者は適切な位置に採尿容器９６が持ち来された時に採尿容器９６に向かって放尿することができる。
【００３８】
採尿容器９６に落下した尿は、樋状の凹み１１０に沿って流下し、尿溜まり１１８に溜まる。このようにしてサンプリングされた尿は、ハウジング２２内に設けたシリンジポンプ５２によりＬ字管１２４および可撓性チューブ１２２を介して吸引し、尿分析装置５０に搬送して、定量分析に付される。尿サンプルの吸引は、電極１２６および１２８からの信号により尿溜まり１１８内に電極１２６のレベルまで尿が集積したことが検出された時に自動的に行うことができる。
【００３９】
尿のサンプリングと分析装置への搬送が終わると、スライダー１３２を前進させる方向にモータ１３８を回転させれば、スイングアーム９４の前進と上方への回動に伴い採尿容器９６は位置Ｂへと戻り、次いでスイングアームの並進運動により採尿容器９６は収納位置Ａへと復帰し、この位置で待機する。採尿容器９６は細長に形成されているので、図８に示したように便座２４の下面８８と便器リム部７８の上面８６との間の狭い空間に容易に格納することができる。
【００４０】
尿サンプリング後には、尿で汚れた採尿容器９６を洗浄するのが好ましい。このため、図３および図４に示したように、採尿部ケース８２には洗浄室１６０を形成すると共に、この洗浄室１６０に臨んで洗浄ノズル１６２を配置するのが好ましい。洗浄ノズル１６２にはホース１６４と電磁弁（後述）を介してシスターン２０からの圧力洗浄水を供給することができる。或いは、ホース１６４をビデ装置６２の給水バルブに接続してもよい。図３に示したように、採尿部ケース８２には開閉式のカバー１６６を設け、洗浄中に洗浄室１６０を閉鎖することにより洗浄水の飛散を防止することができる。この開閉カバー１６６は適当なリンク（図示せず）を介してレバー／カム機構１４４に連動させ、採尿容器９６が洗浄室１６０内に出入りする際にはカバー１６６を開け、採尿容器９６が洗浄室内の収納位置に戻ったときにはカバー１６６を閉じるようにすることができる。図８からよく分かるように、便座２４には開閉カバー１６６に向かって開口する凹み９２が形成してあり、この凹み９２内のスペースを利用して開閉カバー１６６に開閉運動を行わせるようになっている。このような凹み９２は、便座２４を特別に設計することにより形成することが可能になる。
【００４１】
使用済みの洗浄水は確実にボウル１６内に排出させるのが好ましい。このため、図３および図４に示したように、採尿部ケース８２には、洗浄室１６０から便器の左右のリム７８に沿って後方に延長する１対の排水樋１６８を形成することができる。これらの排水樋１６８は図８からよく分かるように後方に向かって下向きに傾斜させてあり、これらの排水樋１６８の後端はケース８２に取付けた傾斜した排水管１７０に連通させてある。従って、便座アッセンブリ２８が水平姿勢にある時には、洗浄ノズル１６２から噴射された洗浄水は排水樋１６８の傾斜に沿って後方へ流れ、排水管１７０からボウル１６内に排出される。排水管１７０は傾斜させてあるので、便座アッセンブリ２８を跳ね上げた時には、排水樋１６８内に残留する洗浄水の滴は排水管１７０からボウル１６内に落下する。
【００４２】
図３に示したように、採尿部ケース８２の後部には切欠き１７２が形成してあり、スイングアーム９４からの可撓性チューブ１２２やリード線や洗浄水供給ホース１６４を挿通させたアダプタ１７４を係合させるようになっている。このアダプタ１７４があるので、尿サンプリング装置２６とハウジング２２との間の配管や配線の取り回しを簡素化することができると共に、便座アッセンブリ２８の回動時に配管や配線が受け得る破損を防止することができる。
【００４３】
次に、図９から図１１を参照しながら、電動シリンジポンプ５２の実施形態の一例を説明する。図示した実施例においては、この電動シリンジポンプ５２は、尿サンプリング装置２６によって採取された尿サンプルを尿分析装置５０に搬送する搬送系の主要部として作用する共に、尿分析に必要な後述する種々の機能を実行するようになっている。また、図示した実施例においては、電動シリンジポンプ５２には電動ロータリバルブ２０２が組み込んであり、１つの一体のモジュール２００を形成しているが、シリンジポンプ５２とロータリバルブ２０２は別体に形成してもよい。
【００４４】
シリンジポンプ５２はシリンダ孔２０４が形成された本体２０６を有し、このシリンダ孔にはシールリング２０８を備えたピストン２１０が摺動可能に嵌合してあって、容積可変のポンプ室２１２を形成している。ピストン２１０はステッピングモータ２１４によって往復駆動されるもので、モータ２１４の出力軸にはリードスクリュー２１６が連結してあり、このリードスクリューにはナット２１８が嵌合してある。ピストン２１０のスカートには直径方向に対向する１対の回り止めピン２２０が貫通させてあり、これらのピン２２０の先端はナット２１８にネジ込まれている。回り止めピン２２０は本体２０６に形成された１対の軸方向スロット２２２に係合している。従って、モータ２１４をいづれかの方向に回転させれば、ナット２１８と共にピストン２１０が上下に駆動され、ポンプ室２１２内に液体を吸引し、或いは液体を送出する。ポンプ室２１２は中央ポート２２４に通じており、液体はこのポートを介してロータリバルブ２０２に出入りする。
【００４５】
ロータリバルブ２０２は減速ギヤ付きのステッピングモータ２２６によって回転駆動される円盤形のロータ２２８を備え、このロータ２２８はモジュール２００の頭部に形成された円柱形の凹み２３０に回転可能に精密嵌合されている。ロータ２２８の下面と凹み２３０の底面は平坦に精密加工してあると共に、ロータ２２８はコイルばね２３２によって凹み２３０の底面に付勢されており、ロータ２２８の下面が凹み２３０の底面に液密に接触するようになっている。ロータ２２８には、シリンジポンプ５２の中央ポート２２４に整列対向した中央ポート２３４が設けてあると共に、この中央ポート２３４から半径方向外側にオフセットされた外側ポート２３６が形成してあり、これらのポート２３４と２３６は水平な内部通路２３８によって互いに連通されている。
【００４６】
凹み２３０の底面には、ロータ２２８の外側ポート２３６と同じ半径方向オフセット距離において、円周方向等間隔に離間された例えば６つのポート２４０Ａ〜２４０Ｆが開口させてあり、これらのポート２４０Ａ〜２４０Ｆはモジュール頭部に形成された内部通路２４２Ａ〜２４２Ｆによってニップル２４４Ａ〜２４４Ｆに夫々連通している。これらのニップル２４４Ａ〜２４４Ｆには、図１８を参照して後述するように、尿分析ユニット１４の構成要素から延長するホースや管路が夫々接続される。
【００４７】
ロータリバルブ２０２はこのような構成であるから、モータ２２６を駆動することによりロータ２２８の外側ポート２３６がポート２４０Ａ〜２４０Ｆのいづれかに整列するまでロータ２２８を回転させれば、シリンジポンプ５２のポンプ室２１２はニップル２４４Ａ〜２４４Ｆのいづれかに接続される。この位置でシリンジポンプ５２を作動させれば、ポート２４０Ａ〜２４０Ｆのいづれかから液体を吸引し、或いはいづれかのポートに液体を送出することができる。
【００４８】
次に、図１２から図１７を参照しながら、尿分析ユニット１４の尿分析装置５０の実施態様の一例を説明する。図示した実施例においては、尿分析装置５０はポーラログラフ分析法により尿サンプル中の尿糖（グルコース）を定量分析するように構成されている。しかし、本発明の尿分析ユニット１４には、ポーラログラフ分析装置に代えて、液体クロマトグラフ法、吸光光度分析法、分光分析法、その他の方式による尿分析装置を使用することができ、更に、分析は尿蛋白、潜血、その他の尿成分についても行うことができる。
【００４９】
図１２に示したように、尿分析装置５０は、例えば、ハウジング２２のフレーム３４に固定される取付け基板２５０と、ビスなどによりこの基板に適宜固定されるソケット部材２５２と、このソケット２５２に着脱自在かつ交換可能に嵌合されるポーラログラフ・セル２５４とで構成することができ、取付け基板２５０の裏側には尿分析ユニット１４の制御回路２５６を搭載した回路基板２５８を配置することができる。
【００５０】
図１３の分解図からよく分かるように、ポーラログラフ・セル２５４は、プラスチックなどからなる基板２６０と、電極を担持したセラミック基板２６２と、シリコーンゴムなどからなるスペーサ２６４と、プラスチックなどからなる上板２６６とをビスなどにより互いに一体的に液密に締結することにより構成することができる。セラミック基板２６２は例えばアルミナセラミックからなり、金属ペーストの印刷と焼成により白金の作用極２６８と白金の対極２７０と銀／塩化銀の参照極２７２とが形成されている。夫々の電極には端子２７４が形成してあり、これらの端子２７４には上板２６６に設けたピン２７６が夫々電気接触させてある。スペーサ２６４には電極の領域において開口２７８が切欠いてあり、図１４に示したように電解室２８０を形成するようになっている。上板２６６にはこの電解室２８０に連通する１対のニップル２８２が形成してあり、電解室に尿サンプルと緩衝液を供給するようになっている。これらのニップル２８２の外周にはＯリング２８４が嵌めてあり、このポーラログラフ・セル２５４をソケット部材２５２に装着した時に、ソケット部材２５２の接続孔２８６にニップル２８２が液密に嵌合し、搬送チューブ２８８および２９０を介して電解室２８０に尿サンプルと緩衝液を通過させるようになっている。ソケット部材２５２には、また、ピン２７６に係合するピン穴２９２が設けてあり、３種の電極２６８、２７０、２７２をリード線２９４に夫々接続するようになっている。
【００５１】
図１５に示したように、白金の作用極２６８は、アルブミンや酢酸セルローズのように過酸化水素を選択的に透過させる物質からなる選択透過膜２９６と、グルコース・オキシダーゼ（ＧＯＤ）固定化膜２９８とで被覆されている。ＧＯＤ固定化膜２９８は、ＧＯＤ（例えば、ＳＩＧＭＡ社Ｇ７１４１）とアルブミンを４対１の割合で水に溶解し、溶解液を選択透過膜２９６上に滴下した後、グルタルアルデヒド雰囲気中に約３０分間暴露することにより形成することができる。電解室２８０内の尿サンプル中のグルコースがＧＯＤ固定化膜に接触すると、ＧＯＤはグルコース（Ｃ６Ｈ１２Ｏ６）を酸化して次のようにグルコノラクトン（Ｃ６Ｈ１０Ｏ６）と過酸化水素（Ｈ２Ｏ２）を生成する。
【００５２】
Ｃ６Ｈ１２Ｏ６  ＋Ｏ２  →Ｃ６Ｈ１０Ｏ６  ＋Ｈ２Ｏ２  ・・・（１）
生成したＨ２Ｏ２が選択透過膜２９６を透過して白金の作用極２６８に達すると、白金の触媒作用によりＨ２Ｏ２は作用極２６８に電子を与えながら水と酸素に分解される。選択透過膜２９６があるので、Ｈ２Ｏ２より大きな分子量の妨害物質が作用極２６８に到達するのが防止される。
【００５３】
図１６に示したように、尿サンプル中のグルコースの定量分析に際しては、ポテンショスタットにより、参照極２７２に対する作用極２６８の電位が正の一定値（例えば＋０．６Ｖ）になるように作用極２６８と対極２７０との間に印加される電圧が可変制御される。作用極２６８と対極２７０との間を流れる電流は過酸化水素の発生量に応じて変化する。従って、作用極２６８と対極２７０との間を流れる電流を制御回路２５６によって検出することにより、過酸化水素の発生量を検出し、これに基づいて、尿サンプル中のグルコース濃度を演算することができる。
【００５４】
図１７には、制御ユニット３２と制御回路２５６の構成の一例を示す。トイレットの壁に設置された制御ユニット３２は、プログラムされたマイクロコンピュータ３００と、複数の操作スイッチ３０２と、ユーザーに対する指示や尿分析結果を表示する液晶表示パネル３０４と、尿分析結果やデータ・トレンドを出力するプリンタユニット３０６と、尿分析データを格納するフラッシュメモリ３０８などで構成することができる。操作スイッチ３０２としては、男性用尿分析開始スイッチ３０２ａと女性用開始スイッチ３０２ｂとを別々に設けることができ、男性用スイッチ３０２ａが押された時には採尿容器９６が予め設定された男性用採尿位置（例えば、図８の位置Ｂ〜Ｃ間の適切な位置）に自動的に持ち来たされ、女性用スイッチ３０２ｂが押された時には採尿容器が女性用採尿位置（Ｃ〜Ｄ間の適切な位置）に持ち来たされるようにすることができる。更に、操作スイッチ３０２には、予め設定された男性用又は女性用採尿位置から採尿容器９６を被験者の操作により個人差に応じて前後に微動させるための微調整スイッチ３０２ｃおよび３０２ｄを設けることができる。
【００５５】
制御回路２５６は尿分析ユニット１４の構成要素を後述のフローチャートの如く制御するべくプログラムされたマイクロコンピュータ３１０を有する。ポーラログラフ・セル２５４の作用極２６８と対極２７０との間を流れる電流は増幅回路３１２により増幅された後、マイクロコンピュータ３１０のＡ／Ｄ変換回路に入力される。尿検知センサ３１４は採尿容器９６の尿検出電極１２６と１２８との間のギャップの電気抵抗を検出することにより採尿容器９６の尿溜まり１１８に尿が溜まったかどうかを検知するもので、その出力はマイクロコンピュータ３１０のＡ／Ｄ変換回路に入力される。マイクロコンピュータ３１０は、夫々のドライバを介して、スイングアーム駆動用モータ１３８、ロータリバルブ駆動用モータ２２６、ピストン駆動用モータ２１４、および、洗浄ノズル１６２に洗浄水を供給するための電磁弁３１６を駆動する。マイクロコンピュータ３００と３１０とは通信ケーブル３１８によって接続されており、トランシーバ３２０および３２２を介してシリアル通信によりデータの伝送を行う。
【００５６】
次に、図１８の模式図と図１９のフローチャートを併せて参照しながら、尿分析ユニット１４の作動の一態様を説明する。被験者が尿分析開始スイッチ３０２ａ又は３０２ｂを押すと、マイクロコンピュータ３１０はスイングアーム駆動モータ１３８を回転させ、採尿容器９６を予め設定された採尿位置に移動させると共に、微調整スイッチ３０２ｃ又は３０２ｄに応じて採尿容器９６を所望位置に位置決めする。採尿容器の位置決めが終わると、被験者は採尿容器に向かって放尿し、尿のサンプリングを開始させることができる。尿検知センサ３１４からの信号により採尿容器９６の尿溜まり１１８に尿が溜まったことが検知されると、マイクロコンピュータ３１０はロータリバルブ駆動モータ２２６を駆動し、シリンジポンプ５２の中央ポート２２４がロータリバルブの第２ポート２４０Ｂに整列するまでロータ２２８を回転させることにより、シリンジポンプ５２のポンプ室２１２を採尿容器９６に接続する。この状態で、マイクロコンピュータ３１０はシリンジポンプ５２のピストン駆動モータ２１４を駆動してピストン２１０を下降させ、例えば約２ｍｌの尿サンプルをシリンジポンプ５２に吸引させる。
【００５７】
次に、ロータリバルブを再び駆動し、中央ポート２２４をロータリバルブの第３ポート２４０Ｃに整列させることにより、シリンジポンプ５２を排出管路３２４（図１８）に接続する。この位置でピストン駆動モータ２１４を駆動してシリンジポンプ５２のピストンを上昇させ、ポンプ室内の尿サンプルの一部を排出管路３２４を介して便器１２のボウルに放出させる。これにより、ポンプ室のエア抜きが行われるので、尿サンプルと共にポンプ室内に空気が吸引されていたとしても気泡がポーラログラフ・セル２５４に送られるのが防止される。
【００５８】
次に、ロータリバルブを再び駆動し、中央ポート２２４をロータリバルブの第１ポート２４０Ａに整列させ、ポンプ室２１２をポーラログラフ・セル２５４に接続する。この位置でシリンジポンプ５２のピストンを更に上昇させ、約１０〜２０μｌの尿サンプルを搬送チューブ２８８に打ち込む。再びロータリバルブを駆動してポンプ室を排出管路３２４に接続し、ピストンを上死点まで上昇させることによりポンプ室内の余剰の尿をボウルに廃棄する。
【００５９】
尿サンプルの打ち込みが終わると、シリンジポンプ５２のポンプ室を洗浄水によって洗浄する。これは、ロータリバルブを回転させてシリンジポンプ５２のポンプ室をシスターン２０に接続させた上で、ピストンを下降させてシスターンの洗浄水をポンプ室に吸引させ、次に、ロータリバルブを駆動してポンプ室を排出管路３２４に接続し、ピストンを上昇させることにより行われる。シリンジポンプの洗浄は１回以上行うことができる。
【００６０】
次に、ロータリバルブを再び回転させ、シリンジポンプ５２の中央ポート２２４をロータリバルブの第５ポート２４０Ｅに整列させることにより、シリンジポンプ５２を管路３２６を介して緩衝液タンク５４に接続させる。タンク５４内の緩衝液は、ポーラログラフ・セルの安定な作動に必要な緩衝作用を行うもので、ＫＨ２ＰＯ４やＮａ２ＨＰＯ４のようなｐＨ調節剤やＫＣｌのような塩素イオン強度調節剤が添加された水溶液からなる。緩衝液は、更に、尿サンプルをポーラログラフ・セル２５４に搬送するキャリヤ液として作用すると共に、セルに送られる尿サンプルを希釈する役割も持っている。前述のようにシリンジポンプ５２を緩衝液タンク５４に接続させたならば、シリンジポンプ５２を作動させ、緩衝液を緩衝液タンク５４からポンプ室２１２内に吸引させた後、再びロータリバルブを切り換え、ピストン２１０を上昇させて緩衝液を第１ポート２４０Ａに射出させる。これにより、先に搬送チューブ２８８内に打ち込まれた約１０〜２０μｌの尿サンプルは、搬送チューブ２８８内で緩衝液と混合され希釈されながらポーラログラフ・セル２５４に送られ、混合物はセルを通過しながら搬送チューブ２９０から便器ボウル内に排出される。緩衝液の射出速度は、尿サンプルが少なくとも約３０倍に希釈された上でポーラログラフ・セルを通過するように選ぶことができる。また、緩衝液の射出量は例えば約２〜４ｍｌにすることができる。この量にすれば、尿サンプルと緩衝液との混合物がポーラログラフ・セルを通過した後には、搬送チューブ２８８とポーラログラフ・セル２５４は再び新たな緩衝液で満たされる。
【００６１】
尿サンプルと緩衝液との混合物がポーラログラフ・セル２５４を通過するに伴い、作用極２６８のＧＯＤ固定化膜２９８のところでは上記式（１）に従い混合物中の尿グルコース濃度に応じて過酸化水素が発生し、前述したようにポーラログラフ・セルの作用極２６８と対極２７０との間には過酸化水素発生量に応じた電流が流れる。この電流は増幅回路３１２により増幅され、マイクロコンピュータ３１０のＡ／Ｄ変換回路に入力され、電流値に変換される。マイクロコンピュータ３１０は得られた電流値のデータをシリアル通信により制御ユニット３２のマイクロコンピュータ３００に伝送する。マイクロコンピュータ３００は電流値データに基づいて尿糖値を演算し、表示パネル３０４に表示する。尿糖値のデータは、また、フラッシュメモリ３０８に格納される。マイクロコンピュータ３００には被験者の指示に応じて尿糖値のトレンドを演算させ、プリンタユニット３０６から出力させることができる。
【００６２】
尿分析又は尿のサンプリングが終わると、マイクロコンピュータ３１０はスイングアーム駆動モータ１３８を駆動して、採尿容器９６を収納位置Ａ（図８）に復帰させる。次に、電磁弁３１６が開かれ、洗浄ノズル１６２に圧力洗浄水を供給することにより採尿容器９６が洗浄される。
【００６３】
尿分析が反復されるに伴い、ポーラログラフ・セル２５４の酵素固定化膜２９８のグルコース・オキシダーゼの活性が次第に低下し、セルの出力が経時的に低下することがある。そこで、定期的にセル出力を較正するのが好ましい。このため、所与の既知の濃度のグルコース標準液（較正液）を較正液タンク５６内に貯蔵しておき、尿サンプルに代えてこの較正液をセルに送って、グルコース標準液に対するセル出力を定期的に測定し、実際の尿分析に際しては、グルコース標準液に対するセル出力に基づいて尿分析時のセル出力を補正することにより尿糖値を演算することができる。ポーラログラフ・セル２５４が所定の寿命期間使用されたならば、古いセル２５４をソケット２５２から外し、新たなセルと簡単に交換することができる。
【００６４】
以上で説明した本実施例のトイレットによれば、尿分析ユニット１４等を設置することにより、既存の便器設備を活かして尿分析機能を実現することができる。また、使用者は、複数回に亘って記憶されたデータに基づいて、分析結果のトレンドを知ることができる。かかるトレンドは、自己の健康チェックに役立てることができる。
【００６５】
ここで、本実施例のトイレットでは、尿の採取および分析を実行する尿分析ユニット１４と、該ユニットの動作の制御、分析結果の記憶、トレンドの演算等の諸機能を果たす制御ユニット３２とが別体として備えられている。両者は、通信ケーブル３１８によって接続されており、データの伝送が可能となっている。このように制御ユニット３２を別体として備えることにより、本実施例のトイレット装置は、既存便器への設置に伴う寸法条件、環境条件に制約されることなく制御ユニット３２を構成することができる。従って、制御ユニット３２を構成するマイクロコンピュータ３００の演算能力およびフラッシュメモリ３０８の記憶容量を十分に確保することができる。この結果、コストの極端な増加を招くことなく、分析結果のトレンドを適切に演算する能力を確保することができる。
【００６６】
本実施例では、尿分析ユニット１４と制御ユニット３２の２つの大きなユニットで構成した例を示した。尿分析ユニット１４の動作の制御およびトレンドの演算はいずれもマイクロコンピュータを利用して実現することができるため、本実施例のように両者を兼用して構成することにより、トイレット装置のユニット数を最小限に抑えることができ、コスト低減を図ることができる。
【００６７】
マイクロコンピュータを利用した装置では、高速処理を実現するため、各機能ごとにＣＰＵを設けることが多い。このような考え方を適用し、尿分析ユニット１４の制御を行う機能と、分析データの記憶およびトレンドの演算を行う機能とを別のユニットとして構成することも当然可能である。つまり、実施例の制御ユニット３２と同様の構成からなる演算ユニットを更に設け、演算ユニットにおいて、分析データの記憶およびトレンドの演算を行うものとしてもよい。この場合には、トイレットが設置してある場所と異なる部屋に演算ユニットを設置することも可能となる。また、演算ユニットとして、非常に高い演算能力を有する汎用のコンピュータを利用することも可能となる。これらの態様によれば、分析データの管理や健康チェックをより適切かつ多彩に行うことが可能となり、装置の利便性を大きく向上することが可能となる。
【００６８】
本実施例では、フラッシュメモリ３０８に分析データを記憶する場合を例示した。通電していなくてもデータを保持可能であるという観点から、フラッシュメモリ３０８を始めとする不揮発性の記憶媒体にデータを記憶することが好ましい。不揮発性の記憶媒体の一種として、フレキシブルディスクなどの携帯可能な記憶媒体を適用するものとしてもよい。
【００６９】
本実施例のトイレット装置によれば、尿分析ユニット１４と制御ユニット３２とを通信ケーブル３１８によって接続し、データの伝送を行うため、分析データを高速かつ確実に制御ユニット３２に受け渡すことができる。データの伝送は、その他種々の周知の通信手段を適用することが可能であり、設計変更の範疇として、有線で行うものの他、電波や赤外線などを利用した無線で行うものとしてもよい。また、フレキシブルディスクなどの携帯可能な記憶媒体を利用してデータを受け渡すものとしてもよい。
【００７０】
以上には本発明の特定の実施例を記載したが、本発明はこれに限定されるものではなく、種々の設計変更を施すことができる。例えば、尿分析装置５０はポーラログラフ・セル２５４を有するものとして説明したが、液体クロマトグラフ法、吸光光度分析法、分光分析法、その他の方式による尿分析方式を採用することができる。更に、尿分析は尿グルコース以外の尿成分についても行うことができる。また、尿サンプリング装置２６はスイングアームを有するものとして記載したが、便座２４に組み込むことができる限り、異なる採尿構造にしてもよい。また、シリンジポンプ５２に代えて、ロータリポンプその他の尿搬送装置を採用することができる。
【図面の簡単な説明】
【図１】尿分析ユニットの取り付け状態を示す斜視図である。
【図２】図１に示した尿分析ユニットのハウジングの分解斜視図である。
【図３】図１に示した尿分析ユニットの便座アッセンブリの１部切欠き分解斜視図である。
【図４】便座アッセンブリの尿サンプリング装置の平面図である。
【図５】スイングアーム駆動部の１部の１部切欠き拡大分解斜視図である。
【図６】スイングアームに装着した採尿容器を上から見たところを示す説明図である。
【図７】図６のＶＩＩ−ＶＩＩ線に沿った断面図である。
【図８】図４のＶＩＩＩ−ＶＩＩＩ線に沿った模式的断面図である。
【図９】ロータリバルブ付きシリンジポンプの分解斜視図である。
【図１０】図９のＸ−Ｘ線に沿った断面図である。
【図１１】図１０のＸＩ−ＸＩ線に沿った平面図で、ロータを取り外したところを示す説明図である。
【図１２】尿分析装置の１部切欠き分解斜視図である。
【図１３】ポーラログラフ・セルの拡大分解斜視図である。
【図１４】図１３のＸＩＶ−ＸＩＶ線に沿ったポーラログラフ・セルの断面図である。
【図１５】図１３のＸＶ−ＸＶ線に沿った作用極の拡大断面図である。
【図１６】ポーラログラフ・セルの電極にポテンショスタットと増幅回路を接続したところを示す配線図である。
【図１７】制御ユニットと制御回路のブロック図である。
【図１８】尿分析ユニットの搬送系統を示す模式図である。
【図１９】尿分析ユニットの動作を示すフローチャートである。
【符号の説明】
１０…トイレット
１２…標準型便器
１４…尿分析ユニット
１６…便器のボウル
１８…便器の洗浄水供給部
２２…尿分析ユニットのハウジング
２４…便座
２６…尿サンプリング装置
２８…便座アッセンブリ
５０…尿分析装置
５２…尿搬送ポンプ（シリンジポンプ）
９６…採尿容器
【図１】
0003551825.tif 000002
【図２】
0003551825.tif 000003
【図３】
0003551825.tif 000004
【図４】
0003551825.tif 000005
【図５】
0003551825.tif 000006
【図６】
0003551825.tif 000007
【図７】
0003551825.tif 000008
【図８】
0003551825.tif 000009
【図９】
0003551825.tif 000010
【図１０】
0003551825.tif 000011
【図１１】
0003551825.tif 000012
【図１２】
0003551825.tif 000013
【図１３】
0003551825.tif 000014
【図１４】
0003551825.tif 000015
【図１５】
0003551825.tif 000016
【図１６】
0003551825.tif 000017
【図１７】
0003551825.tif 000018
【図１８】
0003551825.tif 000019
【図１９】
0003551825.tif 000020